(57)【特許請求の範囲】
【請求項１】
空調運転を制御する空調機リモートコントローラーであって、
前記空調運転に関連する表示内容を表示する表示部と、
前記空調運転に関連する機能が割り当てられる操作スイッチと、
前記操作スイッチの操作に応じて、前記空調運転を制御する制御部と、
を備え、
前記機能は、複数の設定内容を有し、
前記制御部は、
前記操作スイッチが操作されるたびに、前記複数の設定内容のそれぞれを順送りで設定し、
予め設定された操作が行われた場合、前記複数の設定内容のうち、特定の設定内容をスキップ対象とし、
前記スキップ対象から解除されるまで、前記操作スイッチが操作された場合に、前記スキップ対象とされた前記特定の設定内容を設定しない
ことを特徴とする空調機リモートコントローラー。
【請求項２】
前記制御部は、
前記操作スイッチが操作されるたびに、前記複数の設定内容のそれぞれに対応する表示を前記表示部に表示させるものであり、
前記特定の内容がスキップ対象とされた場合、
前記スキップ対象から解除されるまで、前記操作スイッチが操作された場合に、前記特定の設定内容に対応する表示を前記表示部に表示させないことを特徴とする請求項１に記載の空調機リモートコントローラー。
【請求項３】
空調運転を制御する空調機リモートコントローラーであって、
前記空調運転に関連する表示内容を表示する表示部と、
前記空調運転に関連する機能が割り当てられる操作スイッチと、
前記操作スイッチの操作に応じて、前記空調運転を制御する制御部と、
を備え、
前記機能は、複数の設定内容を有し、
前記制御部は、
予め設定された操作が行われた場合、前記複数の設定内容のうち、特定の設定内容をスキップ対象とし、
前記操作スイッチが操作されるたびに、前記スキップ対象とされた前記特定の設定内容以外の設定内容のそれぞれを順送りで設定する
ことを特徴とする空調機リモートコントローラー。
【請求項４】
前記制御部は、
前記操作スイッチが操作されるたびに、前記スキップ対象とされた前記特定の設定内容以外の設定内容のそれぞれに対応する表示を順送りで前記表示部に表示させることを特徴とする請求項３に記載の空調機リモートコントローラー。
【請求項５】
前記制御部は、
前記操作スイッチが押下され続けている時間である押下継続時間が、予め設定された継続時間を経過した場合、前記特定の設定内容を前記スキップ対象にする
ことを特徴とする請求項１〜４の何れか一項に記載の空調機リモートコントローラー。
【請求項６】
前記制御部は、
前記空調運転が停止中で、前記特定の設定内容を前記スキップ対象にした状態において、予め設定された操作が行われた場合、前記特定の設定内容を前記スキップ対象から解除する
ことを特徴とする請求項１〜５の何れか一項に記載の空調機リモートコントローラー。
【請求項７】
前記制御部は、
前記空調運転が行われている場合、特定の前記設定内容を前記スキップ対象にし、
前記空調運転が停止中で、前記特定の設定内容を前記スキップ対象にした状態であって、前記操作スイッチが押下された場合、前記操作スイッチが押下され続けている時間である押下継続時間に応じて、特定の前記設定内容を前記スキップ対象から解除する
ことを特徴とする請求項６に記載の空調機リモートコントローラー。
【請求項８】
前記制御部は、
前記特定の設定内容を前記スキップ対象にした場合、前記スキップ対象が設定された旨を報知させ、
前記特定の設定内容を前記スキップ対象から解除した場合、前記スキップ対象が解除された旨を報知させる
ことを特徴とする請求項１〜７の何れか一項に記載の空調機リモートコントローラー。
【請求項９】
前記制御部は、
前記特定の設定内容を前記スキップ対象から解除した場合、前記特定の設定内容を含む前記機能ごとに、前記スキップ対象を解除する
ことを特徴とする請求項６〜８の何れか一項に記載の空調機リモートコントローラー。
【請求項１０】
前記複数の設定内容のそれぞれが前記スキップ対象となる
ことを特徴とする請求項１〜９の何れか一項に記載の空調機リモートコントローラー。
【請求項１１】
請求項１〜１０の何れか一項に記載の空調機リモートコントローラーを備えることを特徴とする空気調和システム。
【発明の詳細な説明】
【技術分野】
【０００１】
本発明は、空調運転を制御する空調機リモートコントローラーに関する。
【背景技術】
【０００２】
従来、ファンクションキーに各種操作を割り当て、ディスプレイに操作ガイドを表示させることで、入力インターフェースを簡易な構成にした空調機リモートコントローラーがあった（例えば、特許文献１参照）。
【先行技術文献】
【特許文献】
【０００３】
【特許文献１】特開２００９−２２９００９号公報（段落［００３３］）
【発明の概要】
【発明が解決しようとする課題】
【０００４】
特許文献１に記載のような従来の空調機リモートコントローラーは、ファンクションキーのような入力インターフェースに各種操作を割り当てているため、１つのファンクションキーに割り当てられる操作内容は多くなった。例えば、風量、温度、及び風向ルーバーといったような連続的に複数の設定可能範囲を含む機能が変更される場合、従来の空調機リモートコントローラーは、利用者にファンクションキーを繰り返し操作させる必要があった。
【０００５】
仮に、特許文献１に記載のような従来の空調機リモートコントローラーに含まれている操作対象の機能が５パターンの設定をすることができる構成であり、利用者が同一の操作対象の機能のうち、２〜３パターンの設定しか利用しないと想定する。このような想定の場合、従来の空調機リモートコントローラーは、利用者の利用状況にかかわらず、利用者に多くの回数の操作を要求した。よって、従来の空調機リモートコントローラーは、利用者にとって不要な操作を何回も行わせていた。
【０００６】
また、特許文献１に記載のような従来の空調機リモートコントローラーは、利用者に各種設定を行わせる場合、設定用の画面を表示し、利用者に設定用の画面から各種設定を行うことを要求した。よって、利用者の要求に合わせた機能が従来の空調機リモートコントローラーに設定されるためには、利用者は設定用の画面に表示される内容を事前に把握しなければならなかった。よって、従来の空調機リモートコントローラーは、直感的で簡易な操作を利用者に行わせていなかった。
【０００７】
換言すれば、従来の空調機リモートコントローラーは、直感的で簡易な操作で不要な操作の回数を削減させることができないという問題点があった。
【０００８】
本発明は、上記のような問題点を解決するためになされたもので、直感的で簡易な操作で不要な操作の回数を削減させることができる空調機リモートコントローラーを提供することを目的とするものである。
【課題を解決するための手段】
【０００９】
本発明に係る空調機リモートコントローラーは、空調運転を制御する空調機リモートコントローラーであって、前記空調運転に関連する表示内容を表示する表示部と、前記空調運転に関連する機能が割り当てられる操作スイッチと、前記操作スイッチの操作に応じて、前記空調運転を制御する制御部と、を備え、前記機能は、複数の設定内容を有し、前記制御部は、前記操作スイッチが操作されるたびに、前記複数の設定内容のそれぞれを順送りで設定し、予め設定された操作が行われた場合、前記複数の設定内容のうち、特定の設定内容をスキップ対象とし、前記スキップ対象から解除されるまで、前記操作スイッチが操作された場合に、前記スキップ対象とされた前記特定の設定内容を設定しないものである。
【発明の効果】
【００１０】
本発明は、既存の入力インターフェースをそのまま利用させつつ、単純な操作で不要な操作を除外させるため、直感的で簡易な操作で不要な操作の回数を削減させることができる空調機リモートコントローラーを提供することができるという効果を有する。
【図面の簡単な説明】
【００１１】
【図１】本発明の実施の形態１における空気調和システム１の概略構成の一例を示す図である。
【図２】本発明の実施の形態１における空調機リモートコントローラー３１の内部構成の一例を示す図である。
【図３】本発明の実施の形態１における空調機リモートコントローラー３１に含まれるメモリ６５の構成例を示す図である。
【図４】本発明の実施の形態１における通常設定状態と特殊設定状態との間の状態遷移の一例を示す図である。
【図５】本発明の実施の形態１における空調機リモートコントローラー３１の制御例を説明するフローチャートである。
【図６】本発明の実施の形態１における空調機リモートコントローラー３１の別の制御例を説明するフローチャートである。
【図７】本発明の実施の形態１における室内ユニット２１と各種信号を送受信する空調機リモートコントローラー３１の表示例を示す図である。
【図８】本発明の実施の形態１における熱交換換気装置４１と各種信号を送受信する空調機リモートコントローラー３１の表示例を示す図である。
【図９】本発明の実施の形態１における空調機リモートコントローラー３１のスキップ対象の設定時の操作例を示す図である。
【図１０】本発明の実施の形態１における空調機リモートコントローラー３１のスキップ対象の設定が決定された場合の表示例を示す図である。
【図１１】本発明の実施の形態１における空調機リモートコントローラー３１のスキップ対象の解除時の操作例を示す図である。
【図１２】本発明の実施の形態１における空調機リモートコントローラー３１のスキップ対象の設定が解除された場合の表示例を示す図である。
【発明を実施するための形態】
【００１２】
以下、本発明の実施の形態１について、図面を用いて詳細に説明する。なお、本実施の形態１で説明する各種具体的な設定例は一例を示すだけであり、特にこれらに限定されない。
【００１３】
実施の形態１．
（実施の形態１の構成）
図１は、本発明の実施の形態１における空気調和システム１の概略構成の一例を示す図である。図１に示すように、空気調和システム１は、室外ユニット１１、室内ユニット２１ａ、室内ユニット２１ｂ、室内ユニット２１ｃ、空調機リモートコントローラー３１ａ、空調機リモートコントローラー３１ｂ、空調機リモートコントローラー３１ｃ、空調機リモートコントローラー３１ｄ、及び熱交換換気装置４１等を備えている。このうち、空調機リモートコントローラー３１は、既存の入力インターフェースをそのまま利用させつつ、単純な操作で不要な操作を除外させるため、直感的で簡易な操作で不要な操作の回数を削減させる。以下、その詳細について説明する。
【００１４】
室外ユニット１１と、室内ユニット２１ａと、室内ユニット２１ｂと、室内ユニット２１ｃと、は、冷媒配管５３を介して、接続されている。室外ユニット１１と、室内ユニット２１ａと、室内ユニット２１ｂと、室内ユニット２１ｃと、熱交換換気装置４１と、は、伝送線５１を介して、接続されている。室内ユニット２１ａと、室内ユニット２１ｂと、空調機リモートコントローラー３１ａと、は、伝送線５１を介して、接続されている。室内ユニット２１ｃと、空調機リモートコントローラー３１ｂと、空調機リモートコントローラー３１ｃと、は、伝送線５１を介して、接続されている。熱交換換気装置４１と、空調機リモートコントローラー３１ｄと、は、伝送線５１を介して、接続されている。
【００１５】
室内ユニット２１ａ、室内ユニット２１ｂ、及び空調機リモートコントローラー３１ａには、例えば、グループ＃１が設定されている。室内ユニット２１ｃ、空調機リモートコントローラー３１ｂ、空調機リモートコントローラー３１ｃ、空調機リモートコントローラー３１ｄ、及び熱交換換気装置４１には、例えば、グループ＃３が設定されている。
【００１６】
例えば、グループ＃１では、空調機リモートコントローラー３１ａから供給される各種信号で、室内ユニット２１ａ及び室内ユニット２１ｂのそれぞれの動作が制御され、それに伴って室外ユニット１１が制御される。例えば、グループ＃３では、空調機リモートコントローラー３１ｂ又は空調機リモートコントローラー３１ｃから供給される各種信号で、室内ユニット２１ｃの動作が制御され、それに伴って室外ユニット１１が制御される。つまり、室外ユニット１１は、室内ユニット２１ａ〜室内ユニット２１ｃの何れかが動作することで連動するため、後述する冷凍サイクルが形成される。また、グループ＃３では、空調機リモートコントローラー３１ｄから供給される各種信号で、熱交換換気装置４１の動作が制御される。
【００１７】
なお、室内ユニット２１ａ、室内ユニット２１ｂ、及び室内ユニット２１ｃのそれぞれを特に区別しない場合、室内ユニット２１と称する。また、空調機リモートコントローラー３１ａ、空調機リモートコントローラー３１ｂ、空調機リモートコントローラー３１ｃ、及び空調機リモートコントローラー３１ｄのそれぞれを特に区別しない場合、空調機リモートコントローラー３１と称する。
【００１８】
また、室外ユニット１１、室内ユニット２１ａ、及び室内ユニット２１ｂを総称して空調機３ａと称する。室外ユニット１１及び室内ユニット２１ｃを総称して空調機３ｂと称する。空調機３ａと、空調機３ｂとでは、室外ユニット１１が共通して使用される。空調機３ａ及び空調機３ｂのそれぞれを特に区別しない場合、空調機３と称する。
【００１９】
なお、上記で説明した伝送線５１は、通信媒体が有線の一例であるが、特にこれに限定されない。例えば、伝送線５１は、通信媒体が無線であってもよい。通信媒体は、有線及び無線の何れであったとしても、その通信プロトコルは特に限定されない。例えば、室外ユニット１１と、室内ユニット２１と、の間で、有線又は無線の通信媒体を介して、専用の通信プロトコルで通信が行われてもよく、汎用の通信プロトコルで通信が行われてもよい。
【００２０】
また、室内ユニット２１と、空調機リモートコントローラー３１と、の間で、有線又は無線の通信媒体を介して、専用の通信プロトコルで通信が行われてもよく、汎用の通信プロトコルで通信が行われてもよい。具体的には、室内ユニット２１と、空調機リモートコントローラー３１と、の間で、無線の通信媒体を介して、ＲＦＣ（Ｒｅｑｕｅｓｔ  ｆｏｒ  Ｃｏｍｍｅｎｔｓ）で定義されている通信プロトコルで通信が行われてもよい。この場合、空調機リモートコントローラー３１は、以降で説明する機能を備えているものであれば、室内ユニット２１を制御する専用の機器ではなく、例えば、スマートフォン等のアプリケーションとして仮想的に実現される仮想機器であってもよい。
【００２１】
また、熱交換換気装置４１と、空調機リモートコントローラー３１と、の間で、有線又は無線の通信媒体を介して、専用の通信プロトコルで通信が行われてもよく、汎用の通信プロトコルで通信が行われてもよい。具体的には、熱交換換気装置４１と、空調機リモートコントローラー３１と、の間で、無線の通信媒体を介して、ＲＦＣ（Ｒｅｑｕｅｓｔ  ｆｏｒ  Ｃｏｍｍｅｎｔｓ）で定義されている通信プロトコルで通信が行われてもよい。この場合、空調機リモートコントローラー３１は、以降で説明する機能を備えているものであれば、熱交換換気装置４１を制御する専用の機器ではなく、例えば、スマートフォン等のアプリケーションとして仮想的に実現される仮想機器であってもよい。
【００２２】
なお、上記で説明したように、室内ユニット２１に空調機リモートコントローラー３１から各種指令が供給された場合、室内ユニット２１は、供給された各種指令に応じて、室外ユニット１１と連携して動作する。例えば、室外ユニット１１と室内ユニット２１とが冷媒配管５３を介して接続されているため、冷媒の圧縮と膨張とを繰り返すことで冷凍サイクルが形成される。この結果、室内ユニット２１は、図示しない空調対象空間の空気調和を行う。
【００２３】
具体的には、空気調和システム１は、図示しない冷媒回路を含み、冷房運転又は暖房運転で空調対象空間に空気調和された空気を供給する。空気調和システム１は、例えば、冷房運転時には冷風を供給する。空気調和システム１は、例えば、暖房運転時には温風を供給する。図示しない冷媒回路には、冷媒が充填されている。よって、充填された冷媒は、冷媒配管５３内を循環し、蒸気圧縮式の冷凍サイクルが形成される。また、空気調和システム１は、熱交換換気装置４１を含むため、設置された環境の常時換気を行いつつ、必要に応じて、外気と、室内の空気とを熱交換することで、空調機３の負荷を軽減させる。
【００２４】
さらに具体的には、冷媒回路は、例えば、室外ユニット１１が、圧縮機、室外ユニット側熱交換器、室外ユニット側ファン、室外ユニット側膨張弁、及び四方弁（何れも図示せず）を備えている。また、冷媒回路は、例えば、室内ユニット２１が、室内ユニット側熱交換器、室内ユニット側ファン、及び室内ユニット側膨張弁（何れも図示せず）を備えている。冷媒回路は、圧縮機、四方弁、室外ユニット側熱交換器、室外ユニット側膨張弁、室内ユニット側膨張弁、及び室内ユニット側熱交換器が冷媒配管５３を介して接続されている。
【００２５】
室外ユニット１１は、外部から供給される各種指令、例えば、室内ユニット２１を介して、空調機リモートコントローラー３１から供給される各種指令に基づいて、圧縮機、四方弁、室外ユニット側熱交換器、室外ユニット側ファン、及び室外ユニット側膨張弁を制御する。
【００２６】
具体的には、室外ユニット１１は、空調機リモートコントローラー３１から供給される各種指令に基づいて圧縮機を駆動させ、圧縮機に吸入させた冷媒を圧縮させ、任意の圧力で吐出させる。室外ユニット１１は、空調機リモートコントローラー３１から供給される各種指令に基づいて四方弁を作動させ、冷媒配管５３の経路を切り換えることで、圧縮機から吐出された高温高圧の冷媒を室外ユニット側熱交換器又は室内ユニット側熱交換器に供給し、冷媒運転と、暖房運転と、を切り換える。室外ユニット１１は、室外ユニット側熱交換器を通過する冷媒と、室外ユニット側熱交換器の周囲の空気と、を熱交換させる。室外ユニット１１は、空調機リモートコントローラー３１から供給される各種指令に基づいて室外ユニット側ファンを駆動させ、室外ユニット側熱交換器に熱交換させる空気を供給し、室外ユニット側熱交換器の熱交換を促進させる。室外ユニット１１は、空調機リモートコントローラー３１から供給される各種指令に基づいて室外ユニット側膨張弁の開度を調整し、冷媒配管５３を流通する冷媒の流量を制御する。
【００２７】
室内ユニット２１は、外部から供給される各種指令、例えば、空調機リモートコントローラー３１から供給される各種指令に基づいて、室内ユニット側熱交換器、室内ユニット側ファン、及び室内ユニット側膨張弁を制御する。
【００２８】
具体的には、室内ユニット２１は、室内ユニット側熱交換器を通過する冷媒と、室内ユニット側熱交換器の周囲の空気と、を熱交換させる。室内ユニット２１は、空調機リモートコントローラー３１から供給される各種指令に基づいて、室内ユニット側膨張弁の開度を調整し、冷媒配管５３を流通する冷媒の流量を制御する。
【００２９】
次に、空気調和システム１のそれぞれの構成要素を識別するアドレスの一例について説明する。アドレスは、室外ユニット１１、室内ユニット２１ａ、室内ユニット２１ｂ、室内ユニット２１ｃ、空調機リモートコントローラー３１ａ、空調機リモートコントローラー３１ｂ、空調機リモートコントローラー３１ｃ、空調機リモートコントローラー３１ｄ、及び熱交換換気装置４１のうち、ネットワーク内で１台の機器を特定させるため、機器同士でアドレスが重複しない値が設定されている。
【００３０】
例えば、室外ユニット１１には、アドレスとして“０５１”が設定されている。室内ユニット２１ａには、アドレスとして“００１”が設定されている。室内ユニット２１ｂには、アドレスとして“００２”が設定されている。室内ユニット２１ｃには、アドレスとして“００３”が設定されている。空調機リモートコントローラー３１ａには、アドレスとして、“１０１”が設定されている。空調機リモートコントローラー３１ｂには、アドレスとして、“１０３”が設定されている。空調機リモートコントローラー３１ｃには、アドレスとして、“１５３”が設定されている。空調機リモートコントローラー３１ｄには、アドレスとして、“１６３”が設定されている。熱交換換気装置４１には、アドレスとして、“２０１”が設定されている。
【００３１】
室外ユニット１１に設定されるアドレスは、例えば、“０５１”〜“１００”であるが、特にこれらに限定されない。室内ユニット２１に設定されるアドレスは、例えば、“００１”〜“０５０”であるが、特にこれらに限定されない。空調機リモートコントローラー３１に設定されるアドレスは、例えば、“１０１”〜“２００”であるが、特にこれらに限定されない。熱交換換気装置４１に設定されるアドレスは、例えば、“２０１”であるが、特にこれに限定されない。
【００３２】
なお、各アドレスの設定は、例えば、図示しないロータリースイッチ等で行われればよい。また、上記で説明したアドレスの数値は一例であって、特にこれらに限定されない。また、上記で説明したようなアドレスの設定方法は一例であって、特にこれに限定されない。
【００３３】
また、上記で説明した空気調和システム１の構成は一例であって、特にこれに限定されない。例えば、空気調和システム１は、熱交換換気装置４１を備えていなくてもよい。また、上記で説明した室外ユニット１１の台数、室内ユニット２１の台数、空調機リモートコントローラー３１の台数、及び熱交換換気装置４１の台数は一例であって、特にこれに限定されない。また、上記で説明した室外ユニット１１、室内ユニット２１、空調機リモートコントローラー３１、及び熱交換換気装置４１の接続構成は一例であって、特にこれに限定されない。また、上記で説明したグループ構成は一例であって、特にこれに限定されない。要するに、空気調和システム１は、図示しない空調対象空間を空気調和することができる機能を有するシステムであればよい。
【００３４】
なお、本実施の形態１において、システムとは、複数の装置で構成される装置全体を表すものである。また、本実施の形態１において、ネットワークとは、少なくとも２つの装置が接続され、ある装置から他の装置へ情報の伝達ができるようにした仕組みをいう。ネットワークを介して通信する装置は、独立した装置同士であってもよく、１つの装置を構成している内部ブロック同士であってもよい。また、本実施の形態１において、通信とは、無線通信及び有線通信は勿論、無線通信と有線通信とが混在した通信であってもよい。例えば、ある区間では無線通信が行われ、他の空間では有線通信が行われるようなものであってもよい。また、ある装置から他の装置への通信が有線通信で行われ、他の装置からある装置への通信が無線通信で行われるようなものであってもよい。
【００３５】
次に、空調機リモートコントローラー３１の詳細構成について図２及び図３を説明する。まず、空調機リモートコントローラー３１の内部構成を図２を用いて説明し、次に、空調機リモートコントローラー３１の機能例について図３を用いて説明する。
【００３６】
図２は、本発明の実施の形態１における空調機リモートコントローラー３１の内部構成の一例を示す図である。図２に示すように、室外ユニット１１及び室内ユニット２１は、冷媒配管５３を介して接続されている。室外ユニット１１、室内ユニット２１、空調機リモートコントローラー３１、及び熱交換換気装置４１のそれぞれは、伝送線５１を介して、各種信号が送受信される。室内ユニット２１と電源線５２で接続されている空調機リモートコントローラー３１は、室内ユニット２１から電源線５２を介して給電されている。熱交換換気装置４１と電源線５２で接続されている空調機リモートコントローラー３１は、熱交換換気装置４１から電源線５２を介して給電されている。
【００３７】
なお、伝送線５１は、上記で説明したように、室内ユニット２１と、空調機リモートコントローラー３１との間、又は、熱交換換気装置４１と、空調機リモートコントローラー３１との間のそれぞれにおいても有線通信が行われることを想定しているが、特にこれらに限定されない。伝送線５１は、要するに、通信媒体であればよい。よって、伝送線５１は、無線媒体であってもよいため、室内ユニット２１と、空調機リモートコントローラー３１との間、又は、熱交換換気装置４１と、空調機リモートコントローラー３１との間のそれぞれにおいて無線通信が行われてもよい。
【００３８】
なお、上記で説明した電源線５２は、有線接続を想定しているが、特にこれに限定されない。例えば、室内ユニット２１又は熱交換換気装置４１は、電力伝送媒体を空気としてもよい。この場合、室内ユニット２１又は熱交換換気装置４１は、対応する空調機リモートコントローラー３１に電力を無線給電すればよい。すなわち、室内ユニット２１は、ワイヤレス給電を行うことで、空調機リモートコントローラー３１に電力を供給してもよい。ワイヤレス給電の種類は特に限定されず、例えば、電磁誘導方式、共振結合方式、及び電界結合方式等が利用されればよい。
【００３９】
また、外部から空調機リモートコントローラー３１への電力供給源として室内ユニット２１が用いられる一例について説明したが、特にこれに限定されない。図示しない電力供給源、例えば、商用電源から空調機リモートコントローラー３１に電力が供給されてもよい。
【００４０】
また、上記の説明では、空調機リモートコントローラー３１に外部から電力が供給される一例について説明したが、特にこれらに限定されない。例えば、空調機リモートコントローラー３１に二次電池又は一次電池を設けることで、外部から電力が供給されない状態であっても、空調機リモートコントローラー３１が各種機能を実行することができるようにしてもよい。なお、二次電池は、特に限定されず、例えば、リチウムイオン二次電池等であればよい。また、一次電池は、特に限定されず、例えば、リチウム電池等であればよい。
【００４１】
空調機リモートコントローラー３１は、通信回路６１、電源回路６２、入力コントローラー６３、出力コントローラー６４、メモリ６５、及びプロセッサ６９等を備えている。
【００４２】
通信回路６１は、プロセッサ６９から供給される各種信号を送信信号に変調処理し、その変調処理された送信信号を室内ユニット２１に伝送線５１を介して送信する。通信回路６１は、室内ユニット２１から供給される各種信号を受信信号に復調処理し、その復調された受信信号をプロセッサ６９に供給する。
【００４３】
電源回路６２は、供給された電力を空調機リモートコントローラー３１内部の使用電力に変換する。例えば、交流電力が供給される場合、電源回路６２は、内部で使用可能範囲内の直流電力に変換する。また、直流電力が供給される場合、電源回路６２は、内部で使用可能範囲内の直流電力に変換する。また、二次電池又は一次電池で電力が供給される場合、電源回路６２は、二次電池又は一次電池から安定的に電力を供給するための制御機能として構成されればよい。
【００４４】
入力コントローラー６３は、入力インターフェースから電子信号を受信し、予め設定された形式に変換後、プロセッサ６９に供給する。入力インターフェースは、例えば、図７〜図１２を用いて後述するように、ファンクションキー２１１＿１〜ファンクションキー２１１＿４及び固定キー２１３＿１〜固定キー２１３＿４である。ファンクションキー２１１＿１〜ファンクションキー２１１＿４及び固定キー２１３＿１〜固定キー２１３＿４は、利用者に操作されることで、電子信号を入力コントローラー６３に送信する。
【００４５】
なお、上記で説明した入力インターフェースは一例であって、特にこれらに限定されない。例えば、入力インターフェースは、タッチパネルであってもよい。この場合、後述する出力インターフェースを液晶ディスプレイで構成し、入力インターフェース及び出力インターフェースでタッチパネルディスプレイが構成されてもよい。
【００４６】
また、入力インターフェースは音声認識機能を備えた構成であってもよい。この場合、入力インターフェースは音声入力に応じた信号をプロセッサ６９に送信すればよい。音声認識機能は、例えば、入力された音声信号を音響モデルに基づいて文字に変換し、変換した文字を言語モデルに基づいて解釈して生成した信号をプロセッサ６９に送信すればよい。また、入力インターフェースは手書き文字認識機能を備えた構成であってもよい。この場合、入力インターフェースは手書き文字の特徴点等をＨＭＭ（Ｈｉｄｄｅｎ  Ｍａｒｋｏｖ  Ｍｏｄｅｌ）等のような確率統計モデルに基づいて変換した信号をプロセッサ６９に送信してもよい。
【００４７】
また、入力インターフェースは動画像撮影機能を備えた構成であってもよい。この場合、入力インターフェースは撮影した動画像に応じた信号をプロセッサ６９に送信すればよい。動画像撮影機能は、例えば、目の動きを順次撮影し、目の動きに応じた信号をプロセッサ６９に送信すればよい。また、入力インターフェースは脳波測定機能を備えた構成であってもよい。この場合、入力インターフェースは、予め脳波と操作パターンとをチューニングしておき、脳波に対応する操作パターンの信号をプロセッサ６９に送信すればよい。
【００４８】
要するに、入力インターフェースは特に限定されるものではなく、入力コントローラー６３は、各種入力インターフェースに対応した信号をプロセッサ６９に送信する構成であればよい。
【００４９】
出力コントローラー６４は、プロセッサ６９から電子信号を受信し、予め設定された形式に変換後、出力インターフェースに供給する。出力インターフェースは、例えば、図７〜図１２を用いて後述するように、ディスプレイ２０１である。ディスプレイ２０１は、プロセッサ６９から受信した電子信号を出力コントローラー６４に変換させた表示内容１５１〜表示内容１７１を出力する。
【００５０】
なお、上記で説明した出力インターフェースは一例であって、特にこれに限定されない。例えば、出力インターフェースは、音声合成機能を備えた構成であってもよい。この場合、出力インターフェースは、例えば、表示内容１５１〜表示内容１７１に対応する音声を合成し、合成結果を図示しないスピーカーから出力すればよい。また、合成結果の出力手段は、図示しないスピーカーでなくてもよい。例えば、骨伝導機能を備えたヘッドホン等であってもよい。
【００５１】
要するに、出力インターフェースは特に限定されるものではなく、出力コントローラー６４は、各種出力インターフェースに対応した信号を生成すればよい。
【００５２】
メモリ６５は、例えば、書き換え可能なＲＡＭ（Ｒａｎｄｏｍ  Ａｃｃｅｓｓ  Ｍｅｍｏｒｙ）を用いて、一時的にデータを保存する。メモリ６５は、例えば、読み出しのみ可能なＲＯＭ（Ｒｅａｄ  Ｏｎｌｙ  Ｍｅｍｏｒｙ）を用いて、各種処理プログラムで構成される各種モジュール、各種パラメータ、及び後述する表示内容１５１〜表示内容１７１等の操作内容に対応する各種データを記憶している。つまり、メモリ６５は、ＲＡＭ及びＲＯＭ等から構成されている。なお、メモリ６５に格納される各種モジュールの詳細例については図３を用いて後述する。
【００５３】
プロセッサ６９は、メモリ６５から各種モジュールを読み出し、一定のクロックを供給する図示しない発振器の周波数に基づいて読み出した各種モジュールを処理する。プロセッサ６９は、入力コントローラー６３から供給される各種信号を処理する。プロセッサ６９は、出力コントローラー６４が出力する各種信号を処理する。プロセッサ６９は、メモリ６５に各種モジュールの演算結果等を格納する。プロセッサ６９は、通信回路６１を介して、各種信号を送受信する。
【００５４】
次に、空調機リモートコントローラー３１に各種動作を行わせる各種モジュールの一例について図３を用いて説明する。図３は、本発明の実施の形態１における空調機リモートコントローラー３１に含まれるメモリ６５の構成例を示す図である。図３に示すように、メモリ６５に記憶されているソフトウェア構成要素は、例えば、オペレーティングシステム１００、電源モジュール１０１、入力モジュール１０２、出力モジュール１０３、通信モジュール１０４、及びアプリケーション１０５を含んでいる。
【００５５】
オペレーティングシステム１００は、一般的なシステムタスク、例えば、メモリ管理、記憶デバイス制御、及び電源管理等の制御と管理とを行う。オペレーティングシステム１００は、各種ハードウェアと、各種ソフトウェア構成要素との間のインターフェースとして空調機リモートコントローラー３１に組み込まれている。
【００５６】
電源モジュール１０１は、電源回路６２を制御するソフトウェア構成要素であって、例えば、空調機リモートコントローラー３１の作動に必要な電力を管理する。入力モジュール１０２は、入力コントローラー６３を制御するソフトウェア構成要素であって、例えば、操作される入力インターフェースに応じた制御コードを生成し、プロセッサ６９に送信する。出力モジュール１０３は、出力コントローラー６４を制御するソフトウェア構成要素であって、例えば、プロセッサ６９から送信される各種信号に応じて、表示内容１５１〜表示内容１７１のそれぞれの画像データを選択し、後述するディスプレイ２０１上の該当する場所に表示させる。
【００５７】
通信モジュール１０４は、通信回路６１を制御するソフトウェア構成要素であって、プロセッサ６９の演算結果又はメモリ６５に格納されている各種データを外部の機器、例えば、室外ユニット１１、室内ユニット２１、及び熱交換換気装置４１等に送信する。アプリケーション１０５は、特殊設定管理モジュール１２１、スキップ対象管理モジュール１２２、空調機稼働状態判定モジュール１２３、表示内容管理モジュール１２４、押下時間判定モジュール１２５、押下対象判定モジュール１２６、特殊操作判定モジュール１２７、報知モジュール１２８、及び空調機能設定モジュール１２９等の各種モジュールを含んでいる。
【００５８】
ここで、例えば、スキップ対象の機能が風量であり、風量が１〜３のように連続的に複数の設定範囲を含み、そのうち、風量“２”がスキップ対象として決定されていると想定する。
【００５９】
特殊設定管理モジュール１２１は、後述するスキップ対象が決定された特殊設定状態を管理するモジュールである。上記の想定の場合、空調機リモートコントローラー３１ではスキップ対象が決定されているので、特殊設定管理モジュール１２１は、空調機リモートコントローラー３１が通常設定状態から特殊設定状態に遷移していると判断し、現在の状態を管理する。
【００６０】
スキップ対象管理モジュール１２２は、スキップ対象を管理するモジュールである。上記の想定の場合、空調機リモートコントローラー３１ではスキップ対象が決定されているので、スキップ対象管理モジュール１２２は、スキップ対象として決定されているものが風量“２”であることを管理する。
【００６１】
空調機稼働状態判定モジュール１２３は、空調機３の稼働状態を判定するモジュールである。空調機稼働状態判定モジュール１２３は、例えば、空調機３の稼働状態として、運転中及び停止中の何れか一方を判定する。ここで、空調機３の稼働状態として、運転中であると判定された場合、後述する押下時間判定処理に移行する。また、空調機３の稼働状態として、停止中であると判定された場合、後述する押下時間判定処理に移行しない。
【００６２】
表示内容管理モジュール１２４は、表示内容１５１〜表示内容１７１を管理するモジュールである。上記の想定の場合、空調機リモートコントローラー３１ではスキップ対象が決定されているので、表示内容管理モジュール１２４は、詳細については後述する風量“２”の表示内容１６８及び表示内容１６９を除外対象として管理する。
【００６３】
押下時間判定モジュール１２５は、入力インターフェースが押下され続けた時間を判定するモジュールである。上記の想定の前提として、空調機リモートコントローラー３１では後述するファンクションキー２１１＿２が予め設定された時間長押しされ続けることで、スキップ対象に特定すべきか否かの判定処理に移行される。そこで、押下時間判定モジュール１２５は、ファンクションキー２１１＿２等のような入力インターフェースの押下継続時間をカウントし、押下継続時間が予め設定された継続時間を経過したか否かを判定する。ここで、予め設定された継続時間は、例えば、３秒間であるが、特にこれに限定されない。
【００６４】
押下対象判定モジュール１２６は、上記想定の前提として、押下継続時間が予め設定された継続時間を経過した場合、押下対象に対応する表示内容１６１に対応する機能がスキップ対象に特定すべきか否かを判定する。具体的には、押下対象判定モジュール１２６は、押下対象に対応する表示内容１６１に対応する機能が連続的に複数の設定可能範囲を含むか否かを判定する。ここで、上記の想定では、表示内容１６１に対応する機能は“風量”であり、風量は、１〜３の設定可能範囲を含む。そして、現在の風量は、“２”となっていると想定すると、押下対象判定モジュール１２６は、押下対象に対応する表示内容１６１に対応する機能がスキップ対象に特定すべきであると判定する。
【００６５】
特殊操作判定モジュール１２７は、上記想定の前提として、押下継続時間が予め設定された継続時間を経過し、押下対象に対応する表示内容１６１に対応する機能がスキップ対象に特定すべきと判定した場合、特殊操作が行われたと判定し、特殊設定状態に遷移する。
【００６６】
報知モジュール１２８は、スキップ対象が決定された場合、スキップ対象が決定されたことを報知し、決定されたスキップ対象が解除された場合、スキップ対象が解除されたことを報知する。
【００６７】
空調機能設定モジュール１２９は、空調機３の各種機能の設定を行うモジュールである。例えば、空調機能設定モジュール１２９は、入力インターフェースを介して、風量の設定入力があれば、その入力内容に基づいた設定動作を行う。
【００６８】
なお、上記で説明したアプリケーション１０５に含まれる各種モジュールは一例であて、特にこれらに限定されない。例えば、アプリケーション１０５に含まれる各種モジュールは、上記で説明した各種モジュールの部分集合、上位集合、又は下位集合であってもよい。ここで、部分集合とは、上記で説明した各種モジュールのうち、一部の各種モジュールを含んだものである。また、上位集合とは、上記で説明した各種モジュールのうち、複数の機能を統合させたモジュールである。また、下位集合とは、上記で説明した各種モジュールの機能をさらに細分化したモジュールである。
【００６９】
なお、メモリ６５は、スキップ対象データを含んでいてもよい。例えば、スキップ対象が決定した場合、スキップ対象となったものは、順次スキップ対象データとして紐付けさせておいてもよい。
【００７０】
（実施の形態１の動作）
次に、空調機リモートコントローラー３１の各種動作例について図４〜図１２を用いて説明する。図４は、本発明の実施の形態１における通常設定状態と特殊設定状態との間の状態遷移の一例を示す図である。図５は、本発明の実施の形態１における空調機リモートコントローラー３１の制御例を説明するフローチャートである。図６は、本発明の実施の形態１における空調機リモートコントローラー３１の別の制御例を説明するフローチャートである。
【００７１】
図７は、本発明の実施の形態１における室内ユニット２１と各種信号を送受信する空調機リモートコントローラー３１の表示例を示す図である。図８は、本発明の実施の形態１における熱交換換気装置４１と各種信号を送受信する空調機リモートコントローラー３１の表示例を示す図である。
【００７２】
図９は、本発明の実施の形態１における空調機リモートコントローラー３１のスキップ対象の設定時の操作例を示す図である。図１０は、本発明の実施の形態１における空調機リモートコントローラー３１のスキップ対象の設定が決定された場合の表示例を示す図である。図１１は、本発明の実施の形態１における空調機リモートコントローラー３１のスキップ対象の解除時の操作例を示す図である。図１２は、本発明の実施の形態１における空調機リモートコントローラー３１のスキップ対象の設定が解除された場合の表示例を示す図である。
【００７３】
まず、図４を用いて空調機リモートコントローラー３１の状態遷移について説明する。図４に示すように、空調機リモートコントローラー３１は、通常設定状態と、特殊設定状態と、の間の状態を遷移する。ここで、通常設定状態とは、スキップ対象が決定されていない状態であると想定する。例えば、同一種類の機能ごとに、複数の設定内容が紐付けされている。ここで、機能とは、空調運転に関連するものであって、例えば、風量設定という概念である。また、設定内容とは、機能の詳細設定のことであって、例えば、風量設定としての各段階の風量、具体的には、第１段階の風量〜第Ｎ段階の風量といったような具体的な設定項目である。
【００７４】
一方、特殊設定状態とは、上記で説明したように、スキップ対象が決定された状態であると想定する。例えば、ある機能は、複数の設定内容のうち、スキップ対象として決定された設定内容を含み、スキップ対象として決定された設定内容は、後述するディスプレイ２０１等には出力されない状態となっている。
【００７５】
（ステップＳ１１）
空調機リモートコントローラー３１は、特殊設定指令が無い場合、通常設定状態を維持する。
【００７６】
（ステップＳ１２）
空調機リモートコントローラー３１は、特殊設定指令が有り、空調機３が運転中である場合、特殊設定状態に遷移する。
【００７７】
ここで、空調機リモートコントローラー３１は、押下継続時間が予め設定された継続時間を経過し、押下対象のボタンに対応する機能が連続的に複数の設定可能範囲を含む場合、スキップ対象の決定処理に移行するイベントを発生すると想定する。このような想定の場合、スキップ対象の決定処理に移行するイベントが特殊設定指令に対応する。
【００７８】
（ステップＳ１３）
空調機リモートコントローラー３１は、特殊設定解除指令が無い場合、特殊設定状態を維持する。
【００７９】
（ステップＳ１４）
空調機リモートコントローラー３１は、特殊設定解除指令が有り、空調機３が停止中である場合、通常設定状態に遷移する。
【００８０】
ここで、空調機リモートコントローラー３１は、押下継続時間が予め設定された継続時間を経過し、押下対象のボタンに対応する機能がスキップ対象と同一種類の機能である場合、スキップ対象の解除処理に移行するイベントを発生すると想定する。このような想定の場合、スキップ対象の解除処理に移行するイベントが特殊設定解除指令に対応する。
【００８１】
なお、上記の２つの状態は一例であって、特にこれに限定されない。また、特殊設定状態に遷移したからといって、通常の設定画面とは異なる設定画面に遷移するわけではない。
【００８２】
次に、図７〜図１０の表示例を参照しつつ、図５を用いてスキップ対象の決定処理について説明する。なお、スキップ対象の決定処理は、例えば、ステップＳ３６〜ステップＳ３９の処理が対応する。
【００８３】
（特殊設定管理処理）
（ステップＳ３１）
空調機リモートコントローラー３１は、空調機３が運転中であるか否かを判定する。空調機リモートコントローラー３１は、空調機３が運転中である場合、ステップＳ３２に進む。一方、空調機リモートコントローラー３１は、空調機３が運転中でない場合、ステップＳ３１に戻る。
【００８４】
ここで、空調機３が運転中であれば、空調機リモートコントローラー３１のディスプレイ２０１は、図７又は図８に示すような表示を行う。例えば、図７の一例は、図１で説明した空気調和システム１の構成要素のうち、空調機３ａを制御する空調機リモートコントローラー３１ａ又は空調機３ｂを制御する空調機リモートコントローラー３１ｂのディスプレイ２０１の表示例である。図８の一例は、図１で説明した空気調和システム１の構成要素のうち、熱交換換気装置４１を制御する空調機リモートコントローラー３１ｄのディスプレイ２０１の表示例である。
【００８５】
まず、図７及び図８に共通する空調機リモートコントローラー３１の外観構成について図７を用いて説明する。なお、図８に示す空調機リモートコントローラー３１の外観構成は図７と同様であるため、図８に示す空調機リモートコントローラー３１の外観構成についての説明は省略する。
【００８６】
図７に示すように、空調機リモートコントローラー３１は、ディスプレイ２０１、ファンクションキー２１１＿１、ファンクションキー２１１＿２、ファンクションキー２１１＿３、ファンクションキー２１１＿４、固定キー２１３＿１、固定キー２１３＿２、固定キー２１３＿３、固定キー２１３＿４、及び表示ランプ２３１等を備えている。
【００８７】
ディスプレイ２０１は、空調機３の現在の運転状態及び設定条件等を利用者に伝える出力インターフェースのうちの１つである。ディスプレイ２０１は、例えば、液晶ディスプレイで構成され、空調機リモートコントローラー３１の筐体のうち、四隅が面取りされた長方形状の開口箇所に配置されるような配置構成となっている。
【００８８】
ファンクションキー２１１＿１〜ファンクションキー２１１＿４のそれぞれは、ディスプレイ２０１に表示される各種内容に対応した操作が紐付けされ、例えば、四隅が面取りされた長方形状の面を有するボタンで構成されている。
【００８９】
固定キー２１３＿１〜固定キー２１３＿４のそれぞれは、それぞれ特定の操作が紐付けされ、例えば、円形状の面を有するボタンで構成されている。
【００９０】
表示ランプ２３１は、ディスプレイ２０１と同様に、空調機３の現在の運転状態及び設定条件等を利用者に伝える出力インターフェースのうちの１つである。表示ランプ２３１は、例えば、詳細については後述するスキップ対象の決定処理及びスキップ対象の解除処理の際、点滅表示してもよい。
【００９１】
ここで、固定キー２１３＿１は、空調機３の運転状態の設定として、運転モードの設定を呼び出す操作が紐付けされている。固定キー２１３＿２は、ディスプレイ２０１に表示させる内容を１つ前の操作に戻したり、各種操作を取り消したりする操作が紐付けされている。固定キー２１３＿３は、ディスプレイ２０１に表示されている内容で処理を決定したり、各種操作を決定したりする操作が紐付けされている。固定キー２１３＿４は、空調機３の運転を開始したり、空調機３の運転を停止したりする操作が紐付けされている。
【００９２】
なお、ファンクションキー２１１＿１〜ファンクションキー２１１＿４のそれぞれを特に区別しない場合、ファンクションキー２１１と称する。また、固定キー２１３＿１〜固定キー２１３＿４のそれぞれを特に区別しない場合、固定キー２１３と称する。
【００９３】
ここで、ファンクションキー２１１及び固定キー２１３のそれぞれは、上記で説明した入力インターフェースの一例であって、空調機３の設定を変更する操作スイッチである。また、ファンクションキー２１１のそれぞれは、風量、温度、ルーバーの位置、及び運転モード等のような空調運転に関連する機能が紐付けされたスイッチであり、そのようなスイッチを利用者が操作することで、空調機３の各種運転状態が変更される構成となっている。また、ディスプレイ２０１及び表示ランプ２３１のそれぞれは、上記で説明した出力インターフェースの一例であって、空調機３の各種設定状態を表示するものである。
【００９４】
なお、上記で説明したディスプレイ２０１、表示ランプ２３１、ファンクションキー２１１、及び固定キー２１３の形状、大きさ、配置構成、及び原理構成等は一例であって、特にこれらに限定されない。
【００９５】
例えば、ディスプレイ２０１は、有機ＥＬ（ＥｌｅｃｔｒｏＬｕｍｉｎｅｓｃｅｎｃｅ）ディスプレイで構成されてもよい。例えば、ファンクションキー２１１の形状は、楕円形状で構成されてもよい。例えば、固定キー２１３の形状は、ファンクションキー２１１と同様であってもよい。例えば、ディスプレイ２０１は、空調機リモートコントローラー３１の下方側に備えてもよい。例えば、空調機リモートコントローラー３１は、タッチパネルディスプレイを備えていれば、ファンクションキー２１１及び固定キー２１３をタッチパネルディスプレイ上に表示させてもよい。
【００９６】
次に、図７のディスプレイ２０１の表示例及び表示例に対応する入力インターフェースの一例について具体的に説明する。図７に示すように、ディスプレイ２０１には、表示内容１５１、表示内容１５２、表示内容１５３、表示内容１５４、表示内容１５５、表示内容１５６、及び表示内容１５７が表示されている。
【００９７】
表示内容１５１は、“冷房”という文字列を表すデータで構成され、空調機３の現在の運転状態が冷房であることを示すものである。表示内容１５２は、“設定温度２８℃”という文字列、数字列、及び単位表記といったような記号列を表すデータで構成され、空調機３の現在の設定条件の１つとして設定温度が２８℃であることを示すものである。表示内容１５３は、風量設定に対応するデータで構成され、空調機３の現在の設定条件の１つである風量設定を絵で示すものである。
【００９８】
表示内容１５４は、“モード”という文字列を表すデータで構成され、“モード”という表記の下方に配置されているファンクションキー２１１＿１の機能が、空調機３の運転状態の設定として、運転モードに対応する操作に紐付けされていることを示すものである。
【００９９】
表示内容１５５は、“温度▲”という文字列及び図形表記といったような記号列を表すデータで構成され、“温度▲”という表記の下方に配置されているファンクションキー２１１＿２の機能が、空調機３の運転状態の設定として、温度を上げる操作に紐付けされていることを示すものである。
【０１００】
表示内容１５６は、“温度▼”という文字列及び図形表記といったような記号列を表すデータで構成され、“温度▼”という表記の下方に配置されているファンクションキー２１１＿３の機能が、空調機３の運転状態の設定として、温度を下げる操作に紐付けされていることを示すものである。
【０１０１】
表示内容１５７は、“風量”という文字列を表すデータで構成され、“風量”という表記の下方に配置されているファンクションキー２１１＿４の機能が、空調機３の運転状態の設定として、風量を変更する操作に紐付けされていることを示すものである。
【０１０２】
次に、図８のディスプレイ２０１の表示例及び表示例に対応する入力インターフェースの一例について具体的に説明する。図８に示すように、ディスプレイ２０１には、表示内容１５８、表示内容１５９、表示内容１６０、表示内容１６１、表示内容１６２、表示内容１６３、表示内容１６４、表示内容１６５、表示内容１６６、及び表示内容１６７が表示されている。
【０１０３】
表示内容１５８は、“外気１０℃”という文字列、数字列、及び単位表記といったような記号列を表すデータで構成され、熱交換換気装置４１の現在の周囲環境の１つとして、外気温度が１０℃であることを示すものである。表示内容１５９は、“室内２０℃”という文字列、数字列、及び単位表記といったような記号列を表すデータで構成され、熱交換換気装置４１の現在の周囲環境の１つとして、換気対象空間である室内温度が２０℃であることを示すものである。表示内容１６０は、“給気１７℃”という文字列、数字列、及び単位表記といったような記号列と、給気を意味する絵文字とを表すデータで構成され、熱交換換気装置４１の現在の周囲環境の１つとして、換気対象空間における給気温度が１７℃であることを示すものである。
【０１０４】
表示内容１６１は、“風量”という文字列と、ある特定色の長方形状の絵とが重ね合わせて表示されるデータで構成され、“風量”という表記の下方に配置されているファンクションキー２１１＿２の機能が、熱交換換気装置４１の運転状態の設定として、風量を変更する操作に紐付けされていることを示すものである。
【０１０５】
表示内容１６２は、風量設定に対応するデータで構成され、熱交換換気装置４１の現在の設定条件の１つである風量設定が抽象化された絵で示されるものである。表示内容１６３は、風量設定に対応するデータで構成され、熱交換換気装置４１の現在の設定条件の１つである風量設定を数字で示すものである。
【０１０６】
表示内容１６４は、“換気”という文字列と、ある特定色の長方形状の絵とが重ね合わせて表示されるデータで構成され、“換気”という表記の下方に配置されているファンクションキー２１１＿３の機能が、熱交換換気装置４１の運転状態の設定として、運転モードに対応する操作に紐付けされていることを示すものである。
【０１０７】
表示内容１６５は、運転モードに対応するデータで構成され、熱交換換気装置４１の運転モードの１つである熱交換が抽象化された絵で示されるものである。表示内容１６６は、運転モードに対応するデータで構成され、熱交換換気装置４１の運転モードの１つである熱交換を文字列で示すものである。表示内容１６７は、“１２：３４  金”という数字列、記号、及び文字列を組み合わせた記号列で表示されるデータで構成され、現在の時刻及び曜日を示すものである。
【０１０８】
（ステップＳ３２）
空調機リモートコントローラー３１は、ボタンが押下されたか否かを判定する。空調機リモートコントローラー３１は、ボタンが押下された場合、ステップＳ３３に進む。一方、空調機リモートコントローラー３１は、ボタンが押下されていない場合、ステップＳ３２に戻る。なお、ボタンは、例えば、図９に示すように、物理的オブジェクト２５１で押下されるものと想定する。
【０１０９】
ここで、空調機３が運転中であって、ボタンが押下された状態とは、例えば、図９に示すような状態である。すなわち、ディスプレイ２０１は空調設定に関する表示が表示状態であって、ファンクションキー２１１＿２が物理的オブジェクト２５１に押下された状態である。なお、物理的オブジェクト２５１は、例えば、人間の指が対応するが、特にこれに限定されない。例えば、ファンクションキー２１１＿２を押下できる形状の物体であればよい。
【０１１０】
図９に示す一例においては、風量設定のうち、“風量”が“２”である場合がスキップされる操作が示されている。図９では、例えば、風量設定が４段階中、第２段階の風量が設定されて運転されている状態が示されている。ここで、利用者が第２段階の風量をスキップしたい場合、第２段階の風量が表示されている状態に、ファンクションキー２１１＿２が長押しされればよい。
【０１１１】
具体的には、次に説明するステップＳ３３及びステップＳ３４のそれぞれの処理が実行される。
【０１１２】
（ステップＳ３３）
空調機リモートコントローラー３１は、押下継続時間をカウントする。例えば、図９に示すように、物理的オブジェクト２５１がファンクションキー２１１＿２を押下し続ける時間である押下継続時間をカウントする。
【０１１３】
（ステップＳ３４）
空調機リモートコントローラー３１は、押下継続時間が予め設定された継続時間を経過したか否かを判定する。空調機リモートコントローラー３１は、押下継続時間が予め設定された継続時間を経過した場合、ステップＳ３５に進む。一方、空調機リモートコントローラー３１は、押下継続時間が予め設定された継続時間を経過していない場合、ステップＳ３３に戻り、押下継続時間をカウントし続ける。
【０１１４】
例えば、予め設定された継続時間が３秒間である場合、空調機リモートコントローラー３１は、押下継続時間が３秒間を経過したか否かを判定する。なお、上記で説明した予め設定された継続時間は一例であって特にこれに限定されない。例えば、予め設定された継続時間は４秒であってもよく、３．３秒であってもよく、空気調和システム１の全体構成に応じて適宜設定されていればよい。また、予め設定された継続時間は、適宜設定変更ができるものであってもよい。
【０１１５】
つまり、利用者は、スキップしたいパラメーターをスキップしたい設定内容、例えば、設定値に合わせた上で、そのパラメータを変更するためのスイッチを３秒間押し続ける。例えば、風量の設定範囲が１段階〜４段階まであるように、空調運転に関連する機能であって、そのような機能が複数の設定内容を含む場合を想定する。この場合、第２段階の風量をスキップするには、まず、第２段階の風量に設定を合わせ、図９に示すような表示内容１６８及び表示内容１６９をディスプレイ２０１に表示させる。
【０１１６】
ここで、空調機リモートコントローラー３１は、ファンクションキー２１１が押下された際にその操作を受け付ける仕様である場合、ファンクションキー２１１＿２が押された瞬間にディスプレイ２０１は、第３段階の風量に対応した表示となる。その後、空調機リモートコントローラー３１は、ファンクションキー２１１＿２が３秒間押下され続ければ、次の処理に移行する。
【０１１７】
換言すれば、スイッチがＯＮ状態のときに設定内容、例えば、設定値が変わる、つまり、スイッチを押した瞬間に数値等の設定内容が変わるような仕様である場合、空調機リモートコントローラー３１は、スキップするためにスイッチが押下された段階で設定値等の設定内容が変わるものの、そのまま３秒間押下され続けることで、スイッチを押す時点の設定値等の設定内容がスキップ設定される処理に移行する。
【０１１８】
また、空調機リモートコントローラー３１は、ファンクションキー２１１が押下され、物理的オブジェクト２５１が離れ、ファンクションキー２１１の位置が押下される前の位置に復帰した際にその操作を受け付ける仕様である場合、ファンクションキー２１１＿２が押された瞬間は第２段階の風量に対応した表示を維持し、そのままの状態で３秒間経過した時点で次の処理に移行する。
【０１１９】
換言すれば、スイッチがＯＦＦ状態のときに設定値等の設定内容が変わる、つまり、スイッチを離した瞬間に数値等の設定内容が変わるような仕様である場合、空調機リモートコントローラー３１は、スキップするために３秒間スイッチが押下され続けると、３秒間経過した時点でスイッチを押す時点の設定値等の設定内容がスキップ設定される処理に移行する。
【０１２０】
（ステップＳ３５）
空調機リモートコントローラー３１は、押下対象のボタンに対応する機能が複数の設定内容を含むか否かを判定する。空調機リモートコントローラー３１は、押下対象のボタンに対応する機能が複数の設定内容を含む場合、ステップＳ３６に進む。一方、空調機リモートコントローラー３１は、押下対象のボタンに対応する機能が複数の設定内容を含まない場合、処理を終了する。
【０１２１】
ここで、複数の設定内容を含む機能とは、例えば、上記で説明したように、複数の設定段階を含む風量の設定を変更するものが対応する。よって、例えば、ルーバーの位置である風向きの設定を変更するものは、複数の設定内容を含む機能に対応する。また、温度の設定を変更するものは、複数の設定内容を含む機能に対応する。また、運転モードの設定を変更するものは、冷房、暖房、ドライ、及び換気等のように複数の設定内容を含む機能に対応する。
【０１２２】
なお、複数の設定内容は、数値等であれば、連続的な設定値であってもよく、離散的な設定値であってもよい。また、複数の設定内容は、設定項目等であれば、機能ごとに各設定項目が紐付けされていればよい。要するに、空調機リモートコントローラー３１が操作された際、順送りにそれぞれの設定内容が表示されるものであればよい。
【０１２３】
つまり、利用者は、ボタン等を繰り返し操作することで、機能のそれぞれに対応する空調運転に関連する設定内容のうち、特定の設定内容を変更する。例えば、利用者は、ボタン等の操作スイッチを繰り返し操作し、変更したい設定内容を表示させた上で、予め設定された操作を行った場合、空調機リモートコントローラー３１は、スキップ対象の決定処理及びスキップ対象の解除処理の何れかを行う。
【０１２４】
（ステップＳ３６）
空調機リモートコントローラー３１は、押下対象のボタンに対応する設定内容を外す。例えば、上記で説明したように、空調機リモートコントローラー３１は、第２段階の風量を風量設定から外す。具体的には、空調機リモートコントローラー３１は、風量設定という機能が有する複数の段階の風量のうち、第２段階の風量を外す。つまり、空調機リモートコントローラー３１は、機能が有する複数の設定内容のうち、特定の設定内容をスキップ対象として処理する動作を行っていく。なお、ここでいう“外す”とは、設定変更可能状態から設定変更不能状態にデータ属性を変更させることであると想定する。
【０１２５】
（ステップＳ３７）
空調機リモートコントローラー３１は、押下対象のボタンに対応する設定内容を表示画像から除外する。例えば、空調機リモートコントローラー３１は、第２段階の風量を表示画像から除外し、第２段階の風量の前後の設定内容が順送りされるように紐付けする。具体的には、空調機リモートコントローラー３１は、ファンクションキー２１１＿２が押下されるたびに、第１段階の風量、第３段階の風量、第４段階の風量、及び第１段階の風量を順送りに表示させることで、第２段階の風量をスキップさせて表示させない。
【０１２６】
（ステップＳ３８）
空調機リモートコントローラー３１は、押下対象のボタンに対応する設定内容をスキップ対象にする。ここで、空調機リモートコントローラー３１は、例えば、風量設定のうちの特定の設定内容がスキップ対象に含まれたことを決定させる。つまり、空調機リモートコントローラー３１は、スキップ対象を含む機能が風量設定であり、風量設定という機能のうち、スキップ対象となった設定内容が第２段階の風量であると決定する。
【０１２７】
（ステップＳ３９）
空調機リモートコントローラー３１は、スキップ対象が決定したことを報知し、処理を終了する。つまり、上記で説明したように、空調機リモートコントローラー３１は、機能が有する複数の設定内容のうち、スキップ対象となった特定の設定内容をスキップ対象の機能として決定する。
【０１２８】
なお、本発明の実施の形態１の動作を行うプログラムを記述するステップは、記載された順序に沿って時系列に行われる処理であるが、必ずしも時系列に処理されなくても、並列的又は個別に実行される処理を含んでもよい。例えば、ステップＳ３６〜ステップＳ３９の処理は並列的に順不同で実行されてもよい。それは、ステップＳ３６〜ステップＳ３９の何れの処理も互いにデータ依存性がない処理であるためである。つまり、データ依存性のない処理同士であれば、時系列に処理する必要がない。また、ステップＳ３５の処理は、ステップＳ３２の処理が実行された後に行われてもよい。
【０１２９】
なお、上記で説明したように、予め設定された継続時間は、利用者が適宜変更する構成であってもよい。
【０１３０】
ここで、図１０では、スキップ対象が決定したことが報知される一例が示されている。図１０に示すように、表示内容１７０がディスプレイ２０１に表示されている。表示内容１７０は、“ＳＫＩＰ”というアルファベットの文字列で構成され、上記で説明したように、空調機リモートコントローラー３１は、スキップ対象が決定された特殊設定状態に遷移していることを示す。
【０１３１】
なお、上記で説明した報知例は一例であって、特にこれに限定されない。例えば、空調機リモートコントローラー３１は、スキップ対象の機能が決定したことを操作音で利用者に報知してもよい。また、空調機リモートコントローラー３１は、スキップ対象の機能が決定したことを表示ランプ２３１を点滅させることで利用者に報知してもよい。また、空調機リモートコントローラー３１は、スキップ対象の機能が決定したことをディスプレイ２０１を点滅させることで利用者に報知してもよい。また、空調機リモートコントローラー３１は、ディスプレイ２０１がカラー表示対応であれば、通常設定状態と異なる背景色又は背景画面等を表示させてもよい。つまり、空調機リモートコントローラー３１がスキップ対象の機能が決定された特殊設定状態に遷移したことを利用者に報知することができる構成であれば、その報知手段は特に限定されない。
【０１３２】
（スキップ対象管理処理）
（ステップＳ５１）
空調機リモートコントローラー３１は、スキップ対象が決定したか否かを判定する。空調機リモートコントローラー３１は、スキップ対象が決定した場合、ステップＳ５２に進む。一方、空調機リモートコントローラー３１は、スキップ対象が決定しない場合、ステップＳ５１に戻る。
【０１３３】
（ステップＳ５２）
空調機リモートコントローラー３１は、スキップ対象の設定内容を機能の種類ごとに管理し、処理を終了する。例えば、上記の説明の場合、空調機リモートコントローラー３１は、風量設定という機能がスキップ対象を含む設定状態となったことを管理する。
【０１３４】
なお、本発明の実施の形態１の動作を行うプログラムを記述するステップは、記載された順序に沿って時系列に行われる処理であるが、必ずしも時系列に処理されなくても、並列的又は個別に実行される処理を含んでもよい。
【０１３５】
なお、上記の説明では、風量の設定のうち、特定の段階の風量がスキップ対象となる一例について説明したが特にこれに限定されない。例えば、ルーバーの位置及び温度等の特定の設定値がスキップ対象となってもよい。具体的には、ルーバーの位置の設定のうち、直下方向の風向きがスキップ対象となってもよい。また、温度の設定値のうち、冷房であれば２０℃の設定がスキップ対象となり、暖房であれば３０℃の設定がスキップ対象となってもよい。また、運転モードの設定項目のうち、冷房がスキップ対象となってもよい。
【０１３６】
上記の説明から、空調機リモートコントローラー３１は、スキップ設定が有効である間、パラメーターを変更するスイッチが順送りで操作されていったとしても、スキップ対象として設定された設定内容を表示することがなく、スキップ対象として設定された設定内容に設定することも受け付けない。例えば、空調機リモートコントローラー３１は、上記で説明したように、第２段階の風量がスキップ対象として設定された場合、ファンクションキー２１１＿２を繰り返し押していったとしても、第２段階の風量の設定状態及び第２段階の風量の表示状態には移行しない。また、空調機リモートコントローラー３１は、スキップ設定を行うには、空調機３が運転状態のときにしているため、空調機３が停止状態のときにはスキップ対象の設定の操作を受け付けない。
【０１３７】
ここで、仮に、空調機リモートコントローラー３１は、４段階の風量の設定範囲を含み、そのうち、第１段階の風量、第２段階の風量、及び第３段階の風量がスキップ対象として設定されたと想定する。この場合、空調機リモートコントローラー３１は、第４段階の風量をスキップ対象として受け付けない。また、仮に、空調機リモートコントローラー３１は、５段階の風量の設定範囲を含み、そのうち、第１段階の風量、第２段階の風量、第４段階の風量、及び第５段階の風量がスキップ対象として設定されたと想定する。この場合、空調機リモートコントローラー３１は、第３段階の風量をスキップ対象に受け付けない。
【０１３８】
つまり、空調機リモートコントローラー３１は、設定値等の設定内容が複数あり、次々とスキップ対象の設定を有効にしていった場合であっても、最後の設定値等の設定内容をスキップ対象にすることはできないこととする。
【０１３９】
このようにすることで、空調機リモートコントローラー３１は、スキップ対象の設定内容を含む機能が全て設定不可となる状態を回避している。上記の説明の場合、空調機リモートコントローラー３１は、風量が設定不可となる状態を回避している。
【０１４０】
次に、図１１及び図１２の表示例を参照しつつ、図６を用いてスキップ対象の解除処理について説明する。なお、ステップＳ７６〜ステップＳ７９の処理が、スキップ対象の解除処理に対応する。
【０１４１】
（特殊設定管理処理）
（ステップＳ７１）
空調機リモートコントローラー３１は、空調機３が停止中であるか否かを判定する。空調機リモートコントローラー３１は、空調機３が停止中である場合、ステップＳ７２に進む。一方、空調機リモートコントローラー３１は、空調機３が停止中でない場合、ステップＳ７１に戻る。
【０１４２】
（ステップＳ７２）
空調機リモートコントローラー３１は、ボタンが押下されたか否かを判定する。空調機リモートコントローラー３１は、ボタンが押下された場合、ステップＳ７３に進む。一方、空調機リモートコントローラー３１は、ボタンが押下されていない場合、ステップＳ７２に戻る。
【０１４３】
ここで、空調機３が停止中であって、ボタンが押下された状態とは、例えば、図１１に示すような状態である。すなわち、ディスプレイ２０１は空調設定に関する表示が非表示状態であって、ファンクションキー２１１＿２が物理的オブジェクト２５１に押下された状態である。なお、物理的オブジェクト２５１は、例えば、人間の指が対応するが、特にこれに限定されない。例えば、ファンクションキー２１１＿２を押下できる形状の物体であればよい。
【０１４４】
ここで、図１１に示すファンクションキー２１１＿２に風量設定の機能が紐付けされており、例えば、ファンクションキー２１１＿２が押下されたと想定する。
【０１４５】
（ステップＳ７３）
空調機リモートコントローラー３１は、押下継続時間をカウントする。例えば、図１１に示すように、物理的オブジェクト２５１がファンクションキー２１１＿２を押下し続ける時間をカウントする。
【０１４６】
（ステップＳ７４）
空調機リモートコントローラー３１は、押下継続時間が予め設定された継続時間を経過したか否かを判定する。空調機リモートコントローラー３１は、押下継続時間が予め設定された継続時間を経過した場合、ステップＳ７５に進む。一方、空調機リモートコントローラー３１は、押下継続時間が予め設定された継続時間を経過していない場合、ステップＳ７３に戻り、押下継続時間をカウントし続ける。
【０１４７】
例えば、予め設定された継続時間が３秒間である場合、空調機リモートコントローラー３１は、押下継続時間が３秒間を経過したか否かを判定する。なお、上記で説明した予め設定された継続時間は一例であって特にこれに限定されない。例えば、予め設定された継続時間は５秒であってもよく、２．５秒であってもよく、空気調和システム１の全体構成に応じて適宜変更されればよい。
【０１４８】
つまり、空調機リモートコントローラー３１は、解除したい設定内容を操作するためのスイッチの３秒間の長押し操作がされた場合、スキップ設定を解除する処理に移行する。
【０１４９】
（ステップＳ７５）
空調機リモートコントローラー３１は、押下対象のボタンに対応する機能がスキップ対象と同一種類の機能であるか否かを判定する。空調機リモートコントローラー３１は、押下対象のボタンに対応する機能がスキップ対象と同一種類の機能である場合、ステップＳ７６に進む。一方、空調機リモートコントローラー３１は、押下対象のボタンに対応する機能がスキップ対象と同一種類の機能でない場合、処理を終了する。
【０１５０】
（ステップＳ７６）
空調機リモートコントローラー３１は、スキップ対象の設定内容を復帰させる。例えば、空調機リモートコントローラー３１は、第１段階〜第５段階の風量設定を含む機能を有し、そのうち、第２段階の風量設定及び第３段階の風量設定をスキップ対象に設定していると想定する。この場合、空調機リモートコントローラー３１は、ステップＳ７４の処理において、風量設定が紐付けられているファンクションキー２１１＿２の押下継続時間が予め設定された継続時間を経過した場合、ステップＳ７６の処理において、第２段階の風量設定及び第３段階の風量設定のそれぞれを設定内容に復帰させる。なお、ここでいう復帰とは、設定変更不能状態から設定変更可能状態にデータ属性を変更させることであると想定する。
【０１５１】
（ステップＳ７７）
空調機リモートコントローラー３１は、スキップ対象の表示画像に対する除外を解除する。例えば、空調機リモートコントローラー３１は、上記想定の場合、第２段階の風量設定及び第３段階の風量設定のそれぞれに紐付けされている表示画像をスキップ対象から解除する。
【０１５２】
（ステップＳ７８）
空調機リモートコントローラー３１は、押下対象のボタンに対応する機能に含まれるスキップ対象を解除する。上記想定の場合、空調機リモートコントローラー３１は、風量設定のうち、一部の設定がスキップ対象として設定されているので、操作スイッチ等が順送りに操作されたとしてもスキップ対象の設定内容を表示させない。ここで、ファンクションキー２１１＿２に対応する機能は風量設定の機能であり、そのうち、第２段階の風量設定及び第３段階の風量設定がスキップ対象の設定内容である。よって、空調機リモートコントローラー３１は、スキップ対象の設定内容である第２段階の風量設定及び第３段階の風量設定をスキップ対象から解除し、第１段階の風量設定と、第４段階の風量設定との間に、第２段階の風量設定及び第３段階の風量設定を紐付けする。この動作で、空調機リモートコントローラー３１は、第１段階〜第５段階の風量設定を順送りで表示させつつ、順に設定できるデータ構成に再度変更する。
【０１５３】
（ステップＳ７９）
空調機リモートコントローラー３１は、スキップ対象が解除されたことを報知し、処理を終了する。
【０１５４】
なお、本発明の実施の形態１の動作を行うプログラムを記述するステップは、記載された順序に沿って時系列に行われる処理であるが、必ずしも時系列に処理されなくても、並列的又は個別に実行される処理を含んでもよい。例えば、ステップＳ７６〜ステップＳ７９の処理は並列的に順不同で実行されてもよい。それはステップＳ７６〜ステップＳ７９の何れの処理も互いにデータ依存性がない処理であるためである。つまり、データ依存性のない処理同士であれば、時系列に処理する必要がない。
【０１５５】
また、ステップＳ７５の処理は、ステップＳ３２の処理が実行された後に行われてもよい。また、スキップ対象の決定処理について説明したステップＳ３４における予め設定された継続時間と、スキップ対象の解除処理について説明したステップＳ７４における予め設定された継続時間と、が同一である必要はない。
【０１５６】
なお、上記の場合においても、予め設定された継続時間は、利用者が適宜変更する構成であってもよい。
【０１５７】
ここで、図１２では、スキップ対象が解除されたことが報知される一例を示す。図１２に示すように、表示内容１７１がディスプレイ２０１に表示されている。表示内容１７１は、“スキップ無効”という文字列で構成され、上記で説明したように、スキップ対象が解除された通常設定状態に遷移していることを示す。
【０１５８】
なお、上記で説明した報知例は一例であって、特にこれに限定されない。例えば、空調機リモートコントローラー３１は、スキップ対象が解除されたことを操作音で利用者に報知してもよい。また、空調機リモートコントローラー３１は、スキップ対象が解除されたことを表示ランプ２３１を点滅させることで利用者に報知してもよい。また、空調機リモートコントローラー３１は、スキップ対象が解除されたことをディスプレイ２０１を点滅させることで利用者に報知してもよい。また、空調機リモートコントローラー３１は、ディスプレイ２０１がカラー表示対応であれば、特殊設定状態と異なる背景色又は背景画像等を表示させてもよい。つまり、空調機リモートコントローラー３１は、スキップ対象が解除され、通常設定状態に遷移したことを利用者に報知することができればよく、その報知手段は特に限定されない。
【０１５９】
（スキップ対象管理処理）
（ステップＳ９１）
空調機リモートコントローラー３１は、スキップ対象が解除されたか否かを判定する。空調機リモートコントローラー３１は、スキップ対象が解除された場合、ステップＳ９２に進む。一方、空調機リモートコントローラー３１は、スキップ対象が解除されない場合、ステップＳ９１に戻る。
【０１６０】
（ステップＳ９２）
空調機リモートコントローラー３１は、同一種類の機能に含まれるスキップ対象の設定内容を解除し、処理を終了する。
【０１６１】
なお、本発明の実施の形態１の動作を行うプログラムを記述するステップは、記載された順序に沿って時系列に行われる処理であるが、必ずしも時系列に処理されなくても、並列的又は個別に実行される処理を含んでもよい。
【０１６２】
なお、上記の説明では、風量の設定のうち、特定の段階の風量がスキップ対象から解除される一例について説明したが特にこれに限定されない。例えば、ルーバーの位置及び温度等の特定の設定値がスキップ対象から解除されてもよい。具体的には、ルーバーの位置の設定のうち、直下方向の風向きがスキップ対象となっていれば、直下方向の風向きのスキップ設定を解除してもよい。また、温度の設定値のうち、冷房であれば２０℃の設定がスキップ対象となり、暖房であれば３０℃の設定がスキップ対象となっていれば、冷房における２０℃のスキップ対象及び暖房における３０℃のスキップ対象がそれぞれ解除されてもよい。また、運転モードの設定のうち、換気の設定がスキップ対象となっていれば、運転モードのスキップ対象となっている換気が解除されてもよい。
【０１６３】
上記の説明から、利用者は、スキップ対象を解除する際、空調機リモートコントローラー３１が空調機３が停止状態であることを表示している状態で、スキップ対象を解除したいパラメーターに対応するスイッチの３秒間の長押しを続けることで、スキップ対象の解除処理に遷移する。その際、スキップ対象の解除は、空調機３が停止中のみ有効とする。このようにすることで、空調機リモートコントローラー３１は、スキップ対象の解除操作をすることができるか否かを利用者に直感的で簡易に判断させる。
【０１６４】
また、仮に、空調機リモートコントローラー３１は、４段階の風量の設定範囲を含み、そのうち、第１段階の風量、第２段階の風量、及び第３段階の風量がスキップ対象に設定されていると想定する。この場合、空調機リモートコントローラー３１は、スキップ対象の解除動作を行う場合、スキップ対象に設定されている設定内容を同一種類ごとに解除する。具体的には、上記の場合、第１段階の風量、第２段階の風量、及び第３段階の風量がスキップ対象に設定され、スキップ対象を含む機能は風量設定である。
【０１６５】
そこで、空調機リモートコントローラー３１は、同一種類の機能である風量設定に含まれている設定内容を全て解除する。このような動作の結果、空調機リモートコントローラー３１は、風量設定に関する操作スイッチ等が予め設定された継続時間長押しされることで、風量設定の設定内容のうち、スキップ対象に設定された設定内容の全てを解除する。つまり、空調機リモートコントローラー３１は、同一種類の機能に含まれるスキップ対象の設定内容を一斉解除する。
【０１６６】
なお、上記の説明では、１つのボタンの押下継続時間に応じて、スキップ対象に特定すべきか否かの判定処理が実行される一例について説明したが特にこれに限定されない。例えば、２つ以上の複数のボタンの押下継続時間に応じて、スキップ対象に特定すべきか否かの判定処理が実行されてもよい。この場合、複数のファンクションキー２１１の押下動作であってもよく、ファンクションキー２１１と、固定キー２１３との組み合わせた押下動作であってもよく、複数の固定キー２１３の押下動作であってもよい。
【０１６７】
また、ボタンの押下継続時間ではなく、ボタン操作の組み合わせであってもよい。例えば、第２段階の風量をスキップ対象として決定する場合を想定する。この場合、空調機リモートコントローラー３１は、ファンクションキー２１１＿２と、固定キー２１３＿４とが同時に押下されたとき、スキップ対象の決定処理に遷移してもよい。また、例えば、第２段階の風量をスキップ対象から解除させる場合を想定する。この場合、空調機リモートコントローラー３１は、ファンクションキー２１１＿２と、固定キー２１３＿４とが同時に押下されたとき、スキップ対象の解除処理に遷移してもよい。
【０１６８】
要するに、空調機リモートコントローラー３１は、直感的で簡易な操作で、既存の入力インターフェースをそのまま利用させることで、スキップ対象の決定と、スキップ対象の解除とのそれぞれの操作回数を削減させればよい。
【０１６９】
また、入力インターフェースがボタンである一例として、ファンクションキー２１１及び固定キー２１３が空調機リモートコントローラー３１に設けられている場合について説明したが、特にこれに限定されない。例えば、空調機リモートコントローラー３１がタッチパネルディスプレイを備えている場合、ディスプレイ２０１がタッチパネルの機能を有することになるため、ディスプレイ２０１に表示される仮想的なボタンが入力インターフェースであってもよい。
【０１７０】
なお、ステップＳ３１〜ステップＳ３９の処理でステップ対象が決定され、ステップＳ７１〜ステップＳ７９の処理でステップ対象が解除される具体的な動作例について説明したが、特にこれらに限定されない。要するに、空調機リモートコントローラー３１は、既存の入力インターフェースをそのまま利用させた単純な予め設定された操作に応じて、複数の設定内容からスキップ対象を決定し、表示内容１５１〜表示内容１７１のうち、決定したスキップ対象に対応する設定内容を除外すればよい。
【０１７１】
（実施の形態１の効果）
以上の説明から、空調機リモートコントローラー３１は、既存の入力インターフェースをそのまま利用させつつ、単純な操作で不要な操作を除外させるため、直感的で簡易な操作で不要な操作の回数を削減させることができる。
【０１７２】
以下、空調機リモートコントローラー３１の動作から生じる効果について具体的に説明する。まず、空調機リモートコントローラー３１は、空調機３の操作を行うものであって、空調機３の運転状況等を表示することで利用者に空調機３の運転状態等を通知するために、空調機３とは別の場所に設置されているものである。また、空調機リモートコントローラー３１は、有線又は無線の通信媒体を介して、空調機３と通信を行っている。
【０１７３】
ここで、空調機リモートコントローラー３１は、上記で説明したように、空調機３の制御性が向上したものとなっており、風量、温度、及び風向きルーバーの位置等を多段階に設定でき、そのような多段階の設定を、操作スイッチ等が操作されるたびに順送りして表示できる構成となっている。また、空調機リモートコントローラー３１は、利用者の視認性を向上させ、利用者の操作性を向上させるため、筐体と比べ、ディスプレイ２０１が相対的に大きな構成となっており、ファンクションキー２１１等のサイズが大きな構成となっている。
【０１７４】
ただし、空調機リモートコントローラー３１は、１つのファンクションキー２１１に複数の機能を割り当てているため、利用者が連続的に複数の設定範囲が含まれる機能を操作スイッチを操作するたびに順送りしながら変更する際、空調機リモートコントローラー３１は、同じファンクションキー２１１を利用者に何度も押下させる必要がある。例えば、上記で説明したように、機能が有する複数の設定内容のうち、利用者が利用するのは一部の設定内容である場合であっても、空調機リモートコントローラー３１は、デフォルト設定では、複数の設定内容分の操作を要求する。
【０１７５】
この場合、利用者からすれば、多くの回数のスイッチ操作を要求されるため、煩わしさが生じる。一方、空調機リモートコントローラー３１からすれば、一つの機能の設定内容の変更でさえも毎回操作スイッチの操作に応じて設定内容を順送りさせなければならないことから、複数回のスイッチ操作が行われるため、操作スイッチ等の入力インターフェース及び空調機リモートコントローラー３１を構成する回路基板への機械的寿命に影響を与える懸念がある。
【０１７６】
また、空調機リモートコントローラー３１は、利用者に合わせた設定変更を行わせる場合であっても、従来例のように、利用者に通常運転時の設定とは異なる画面を閲覧させれば、利用者に直感的で簡易な操作を行わせることにはならない。
【０１７７】
そこで、本実施の形態１の空調機リモートコントローラー３１は、スキップ設定を行わせる場合であっても、既存の入力インターフェースをそのまま利用させることで、直感的で簡易な操作を実現させている。例えば、空調機リモートコントローラー３１は、空調機３が運転中であることを示す通常設定状態の画面のままで、スキップ設定を行わせることができるため、利用者に特殊画面を閲覧させる必要がない。また、利用者がスキップ対象の設定をさせたい設定内容を含む機能に対応する入力インターフェースを利用者に予め設定された継続時間長押しさせるだけで、空調機リモートコントローラー３１は、スキップ対象を決定する処理を行い、スキップ対象をディスプレイ２０１から除外させることができる。よって、空調機リモートコントローラー３１は、既存の入力インターフェースをそのまま利用させつつ、単純な操作で不要な操作を除外させることができる。
【０１７８】
また、本実施の形態１の空調機リモートコントローラー３１は、スキップ対象の解除を行わせる場合であっても、既存の入力インターフェースをそのまま利用させることで、直感的で簡易な操作を実現させている。例えば、空調機リモートコントローラー３１は、空調機３が停止中であることを示す通常設定状態の画面のままで、スキップ対象の解除を行わせることができるため、利用者に特殊画面を閲覧させる必要がない。また、空調機リモートコントローラー３１は、スキップ対象を解除させる機能に対応する入力インターフェースを利用者に予め設定された継続時間長押しさせるだけで、スキップ対象を解除させる処理を行い、スキップ対象をディスプレイ２０１に復帰させることができる。よって、空調機リモートコントローラー３１は、既存の入力インターフェースをそのまま利用させつつ、単純な操作で除外させた操作を元のように設定できる状態にすることができる。
【０１７９】
つまり、空調機リモートコントローラー３１は、既存の入力インターフェースをそのまま利用させつつ、スキップ対象の決定と、スキップ対象の解除とのそれぞれの操作回数を削減させることができる。よって、空調機リモートコントローラー３１は、直感的で簡易な操作で不要な操作の回数を削減させることができる。
【０１８０】
換言すれば、空調機リモートコントローラー３１は、機能設定画面等の特殊画面に遷移することなく、複数の設定内容のうち、不要な設定内容をスキップ対象にすることができる。この結果、空調機リモートコントローラー３１は、同じ操作スイッチを利用者に何度も押させる必要がなくなり、普段よく使う設定内容だけを行き来させることができる。また、空調機リモートコントローラー３１は、機能設定画面等の特殊画面に遷移することなく、スキップ対象を簡単な操作で解除させることができる。
【０１８１】
したがって、空調機リモートコントローラー３１は、操作スイッチ等の入力インターフェースと、空調機リモートコントローラー３１を構成する回路とに生じる機械的疲労を削減することができるため、長寿命化を図ることができる。
【０１８２】
なお、ディスプレイ２０１は、本発明における表示部に相当する。また、プロセッサ６９は、本発明における制御部に相当する。また、本発明におけるファンクションキー２１１又は固定キー２１３は、本発明における操作スイッチに相当する。
【０１８３】
以上、本実施の形態１において、空調運転を制御する空調機リモートコントローラー３１であって、空調運転に関連する表示内容を表示するディスプレイ２０１と、表示内容と関連付けが設定され、表示内容に対応する機能が割り当てられてあって、ディスプレイ２０１で表示された表示内容の操作を入力する操作スイッチと、操作スイッチに応じて、空調運転を制御するプロセッサ６９と、を備え、機能のそれぞれは、空調運転に関連し、複数の設定内容を有し、プロセッサ６９は、操作スイッチが押されるたびに、対応する機能の複数の設定内容を順送りで設定し、複数の設定内容に対応する表示内容をディスプレイ２０１に表示させ、予め設定された操作が行われた場合、複数の設定内容のうち、特定の設定内容をスキップ対象にする空調機リモートコントローラー３１が構成される。
【０１８４】
上記構成のため、空調機リモートコントローラー３１は、既存の入力インターフェースをそのまま利用させつつ、単純な操作で不要な操作を除外させることができる。よって、空調機リモートコントローラー３１は、直感的で簡易な操作で不要な操作の回数を削減させることができる。
【０１８５】
また、本実施の形態１において、プロセッサ６９は、操作スイッチが押下され続けている時間である押下継続時間が、予め設定された継続時間を経過した場合、特定の設定内容をスキップ対象にし、ディスプレイ２０１は、複数の設定内容のうち、スキップ対象にしていない表示内容を表示させる。
【０１８６】
上記構成のため、空調機リモートコントローラー３１は、既存の入力インターフェースをそのまま利用させつつ、単純な操作で不要な操作を除外する処理に移行することができる。そして、空調機リモートコントローラー３１は、除外処理の実行後、除外させない表示内容を表示させるため、利用者に不要な操作の回数を削減させることができる。
【０１８７】
また、本実施の形態１において、プロセッサ６９は、空調運転が行われている場合、特定の設定内容をスキップ対象にし、空調運転が停止中で特定の設定内容をスキップ対象にした状態であって、操作スイッチが押下された場合、操作スイッチが押下され続けている時間である押下継続時間に応じて、特定の設定内容をスキップ対象から解除する。
【０１８８】
上記構成のため、空調機リモートコントローラー３１は、直感的な操作で利用者にスキップ対象の設定処理及びスキップ対象の解除処理を行わせることができる。
【０１８９】
また、本実施の形態１において、プロセッサ６９は、特定の設定内容をスキップ対象にした場合、スキップ対象が設定された旨を報知させ、特定の設定内容をスキップ対象から解除した場合、スキップ対象が解除された旨を報知させる。
【０１９０】
上記構成のため、空調機リモートコントローラー３１は、利用者に現在の設定を迅速に報知することができる。
【０１９１】
また、本実施の形態１において、プロセッサ６９は、特定の設定内容をスキップ対象から解除した場合、特定の設定内容を含む機能ごとに、スキップ対象を解除する。
【０１９２】
上記構成のため、空調機リモートコントローラー３１は、利用者に何度も操作を行わせることなく、一括で同一種類のスキップ対象となっている機能を解除することができる。
【０１９３】
したがって、以上の構成から、空調機リモートコントローラー３１は、特に顕著に、既存の入力インターフェースをそのまま利用させつつ、単純な操作で不要な操作を除外させるため、直感的で簡易な操作で不要な操作の回数を削減させることができる。
【符号の説明】
【０１９４】
１  空気調和システム、３、３ａ、３ｂ  空調機、１１  室外ユニット、２１、２１ａ〜２１ｃ  室内ユニット、３１、３１ａ〜３１ｄ  空調機リモートコントローラー、４１  熱交換換気装置、５１  伝送線、５２  電源線、５３  冷媒配管、６１  通信回路、６２  電源回路、６３  入力コントローラー、６４  出力コントローラー、６５  メモリ、６９  プロセッサ、１００  オペレーティングシステム、１０１  電源モジュール、１０２  入力モジュール、１０３  出力モジュール、１０４  通信モジュール、１０５  アプリケーション、１２１  特殊設定管理モジュール、１２２  空調機稼働状態判定モジュール、１２３  空調機稼働状態判定モジュール、１２４  表示内容管理モジュール、１２５  押下時間判定モジュール、１２６  押下対象判定モジュール、１２７  特殊操作判定モジュール、１２８  報知モジュール、１２９  空調機能設定モジュール、１５１〜１７１  表示内容、２０１  ディスプレイ、２１１、２１１＿１〜２１１＿４  ファンクションキー、２１３、２１３＿１〜２１３＿４  固定キー、２３１  表示ランプ、２５１  物理的オブジェクト。
【図１】
0006049607.tif 000002
【図２】
0006049607.tif 000003
【図３】
0006049607.tif 000004
【図４】
0006049607.tif 000005
【図５】
0006049607.tif 000006
【図６】
0006049607.tif 000007
【図７】
0006049607.tif 000008
【図８】
0006049607.tif 000009
【図９】
0006049607.tif 000010
【図１０】
0006049607.tif 000011
【図１１】
0006049607.tif 000012
【図１２】
0006049607.tif 000013